(57)【要約】【課題】  互いに隣接する鍵同士の隙間を簡単に且つ正確に修正して、多数の鍵の各隙間を均一にすることができる鍵盤構造を提供する。【解決手段】  第１、第２の各白鍵ユニット１、２および黒鍵ユニット３のうち、第１の白鍵ユニット１における複数の白鍵４の各間に、第２の白鍵ユニット２の各白鍵７を配置させて、各白鍵共通支持部５、８を重ねて合わせて相互に固定する。このときに、その固定力に応じて変形調整部１５が変位して、白鍵共通支持部５、８の一部を白鍵４、７の前後方向に確実に変形させ、これにより白鍵４、７の配列方向における横振れを修正することができる。このため、互いに隣接する白鍵４、７同士の隙間Ｓを簡単に且つ正確に修正することができ、これにより多数の白鍵４、７の各隙間Ｓを均一にすることができる。【選択図】        図１
2010152092.tif 000002
【特許請求の範囲】
【請求項１】
複数の鍵の各後端部を前記複数の鍵の配列方向に沿って連続する共通支持部にそれぞれ屈曲部を介し
て連結して、前記複数の鍵を所定間隔で配列させることにより、複数の鍵ユニットを構成し、この複数の鍵ユニットの前記各共通支持部を重ねて合わせて、前記複数の鍵ユニットのうち、１つの鍵ユニットにおける前記複数の鍵の各間に他の鍵ユニットの各鍵を配置させることにより、多数の鍵を音階順に配列させた鍵盤構造において、
互いに重なり合う前記各共通支持部の間には、その各共通支持部の複数箇所を相互に固定する各固定力に応じてそれぞれ前記共通支持部の一部を変形させるための変形調整部が複数設けられていることを特徴とする鍵盤構造。
【請求項２】
前記複数の共通支持部は互いに重なり合った状態で複数の締結部材によって相互に締め付けられて取り付けられ、前記複数の変形調整部は前記複数のねじ部材の各締め付け力に応じてそれぞれ前記共通支持部の一部を変形させることを特徴する請求項１に記載の鍵盤構造。
【請求項３】
前記変形調整部は、前記複数の共通支持部が重なり合って対面する対向面の双方に、それぞれ前記鍵の長手方向に沿って傾斜して設けられた一対の傾斜部であることを特徴する請求項１または請求項２に記載の鍵盤構造。
【請求項４】
前記変形調整部は、前記複数の共通支持部が重なり合って対面する対向面の一方に、前記鍵の長手方向と直交する方向に沿って傾斜して設けられた傾斜部であることを特徴する請求項１または請求項２に記載の鍵盤構造。
【発明の詳細な説明】
【技術分野】
【０００１】
この発明は、電子ピアノなどの鍵盤楽器に用いられる鍵盤構造に関する。
【背景技術】
【０００２】
従来、鍵盤楽器の鍵盤構造においては、特許文献１に記載されているように、複数の鍵の各後端部を複数の鍵の配列方向に沿って連続する共通支持部にそれぞれ薄肉の屈曲部を介して連結して、複数の鍵を所定間隔で配列させることにより、第１〜第３の各鍵ユニットを構成し、この第１〜第３の各鍵ユニットにおける各共通支持部を重ねて合わせて、第１の鍵ユニットにおける複数の鍵の各間に、第２、第３の各鍵ユニットの各鍵を配置し、この状態で各共通支持部をねじ部材によって締め付けて固定することにより、多数の鍵を音階順に配列させた構成のものが知られている。
【特許文献１】特開平１０−２４０２２７
【発明の開示】
【発明が解決しようとする課題】
【０００３】
このような従来の鍵盤構造では、第１の鍵ユニットにおける複数の鍵の各間に、第２、第３の各鍵ユニットの各鍵を配置させて、第１〜第３の各鍵ユニットの各共通支持部を重ねて合わせ、この状態で各共通支持部をねじ部材によって締め付けると、ねじ部材の頭部と最上部に位置する共通支持部の上面との間に大きな摩擦力が発生し、この摩擦力によって共通支持部にねじ部材の締め付け回転方向への捻じれが発生し、第１〜第３の各鍵ユニットにおける互いに隣接する鍵同士の隙間が変化する。
【０００４】
しかしながら、このような従来の鍵盤構造では、ねじ部材の頭部と最上部に位置する共通支持部の上面との間に発生する摩擦力によって、共通支持部にねじ部材の締め付け回転方向への捻じれを発生させて、互いに隣接する鍵同士の隙間を変化させているが、摩擦力だけでは互いに隣接する鍵同士の隙間を十分に且つ正確に修正することができないため、多数の鍵の各隙間が不揃いになるという問題があった。
【０００５】
この発明が解決しようとする課題は、互いに隣接する鍵同士の隙間を簡単に且つ正確に修正して、多数の鍵の各隙間を均一にすることができる鍵盤構造を提供することである。
【課題を解決するための手段】
【０００６】
この発明は、上記課題を解決するために、次のような構成要素を備えている。
請求項１に記載の発明は、複数の鍵の各後端部を前記複数の鍵の配列方向に沿って連続する共通支持
部にそれぞれ屈曲部を介して連結して、前記複数の鍵を所定間隔で配列させることにより、複数の鍵ユニットを構成し、この複数の鍵ユニットの前記各共通支持部を重ねて合わせて、前記複数の鍵ユニットのうち、１つの鍵ユニットにおける前記複数の鍵の各間に他の鍵ユニットの各鍵を配置させることにより、多数の鍵を音階順に配列させた鍵盤構造において、互いに重なり合う前記各共通支持部の間には、その各共通支持部の複数箇所を相互に固定する各固定力に応じてそれぞれ前記共通支持部の一部を変形させるための変形調整部が複数設けられていることを特徴とする鍵盤構造である。
【０００７】
請求項２に記載の発明は、前記複数の共通支持部が互いに重なり合った状態で複数の締結部材によって相互に締め付けられて取り付けられ、前記複数の変形調整部は前記複数のねじ部材の各締め付け力に応じてそれぞれ前記共通支持部の一部を変形させることを特徴する請求項１に記載の鍵盤構造である。
【０００８】
請求項３に記載の発明は、前記変形調整部が、前記複数の共通支持部の重なり合って対面する対向面の双方に、それぞれ前記鍵の長手方向に沿って傾斜して設けられた一対の傾斜部であることを特徴する請求項１または請求項２に記載の鍵盤構造である。
【０００９】
請求項４に記載の発明は、前記変形調整部が、前記複数の共通支持部の重なり合って対面する対向面の一方に、前記鍵の長手方向と直交する方向に沿って傾斜して設けられた傾斜部であることを特徴する請求項１または請求項２に記載の鍵盤構造である。
【発明の効果】
【００１０】
この発明によれば、複数の鍵ユニットのうち、１つの鍵ユニットにおける複数の鍵の各間に他の鍵ユニットの各鍵を配置させて、前記複数の鍵ユニットの前記各共通支持部を重ねて合わせて相互に固定するときに、その固定力に応じて変形調整部が共通支持部の一部を確実に変形させ、この共通支持部の変形によって鍵の位置ずれを修正することができる。このため、互いに隣接する鍵同士の隙間を簡単に且つ正確に修正することができ、これにより多数の鍵の各隙間を均一にすることができる。
【発明を実施するための最良の形態】
【００１１】
（実施形態１）
以下、図１〜図１４を参照して、この発明を適用した鍵盤構造の実施形態１について説明する。
この鍵盤構造は、図１および図２に示すように、第１の白鍵ユニット１と、第２の白鍵ユニット２と、黒鍵ユニット３とを備え、第１の白鍵ユニット１における複数の白鍵４、第２の白鍵ユニット２における複数の白鍵７、および黒鍵ユニット３における複数の黒鍵１０を音階順に配列した状態で、第１の白鍵ユニット１における第１の白鍵共通支持部５、第２の白鍵ユニット２における第２の白鍵共通支持部８、および黒鍵ユニット３の黒鍵共通支持部１１を重ね合わせた構成になっている。
【００１２】
すなわち、第１の白鍵ユニット１は、図３（ａ）および図３（ｂ）に示すように、複数の白鍵４（Ｄ、Ｆ、Ａの各鍵）の各後端部（図３（ｂ）では右端部）を、白鍵４の配列方向に沿って連続する第１の白鍵共通支持部５に、それぞれ屈曲部６を介して一体に連結することにより、複数の白鍵４が所定間隔で配列された構成になっている。
【００１３】
第２の白鍵ユニット２は、図４（ａ）および図４（ｂ）に示すように、複数の白鍵７（Ｃ、Ｅ、Ｇ、Ｂの各鍵）の各後端部（図４（ｂ）では右端部）を、白鍵７の配列方向に沿って連続する第２の白鍵共通支持部８に、それぞれ屈曲部９を介して一体に連結することにより、複数の白鍵７が所定間隔、つまり第１の白鍵ユニット１の各鍵４の間に配置される間隔で配列された構成になっている。
【００１４】
黒鍵ユニット３は、図５（ａ）および図５（ｂ）に示すように、複数の黒鍵４（Ｃ＃、Ｄ＃、Ｆ＃、Ｇ＃、Ａ＃の各鍵）の各後端部（図５（ｂ）では右端部）を、黒鍵１０の配列方向に沿って連続する黒鍵共通支持部１１に、それぞれ屈曲部１２を介して一体に連結することにより、複数の黒鍵１０が所定間隔、つまり第１、第２の各白鍵ユニット１、２の各鍵４、７の間に配置される間隔で配列された構成になっている。
【００１５】
この場合、第１の白鍵ユニット１における複数の白鍵４は、図３（ａ）および図３（ｂ）に示すように、その各後端部に形成されて第１の白鍵共通支持部５に一体に連結された各屈曲部６を支点として上下方向に回動変位するように構成されている。この屈曲部６は、上下方向に撓み変形する薄肉の平板状に形成され、図３（ｂ）に示すように、白鍵４の後端面における下部、つまり後端面の下端部よりも少し上側に位置する箇所に設けられている。
【００１６】
この屈曲部６が連結された第１の白鍵共通支持部５は、図３（ａ）および図３（ｂ）に示すように、白鍵４の配列方向に沿って連続する帯板状に形成され、その前端面（図３（ｂ）では左端面）における下端部に屈曲部６がそれぞれ一体に連結形成され、これにより屈曲部６の上側に位置するように構成されている。この第１の白鍵共通支持部５における下面側の所定箇所、つまり白鍵共通支持部５の長手方向における両側部付近には、図３（ｂ）および図６に示すように、凹凸形状の第１位置決め部５ａが形成されている。
【００１７】
また、第２の白鍵ユニット２における複数の白鍵７は、図４（ａ）および図４（ｂ）に示すように、その各後端部に形成されて第２の白鍵共通支持部８に一体に連結された各屈曲部９を支点として上下方向に回動変位するように構成されている。この場合にも、屈曲部９は、上下方向に撓み変形する薄肉の平板状に形成され、図４（ｂ）に示すように、白鍵７の後端面における下端部に設けられている。
【００１８】
この屈曲部９が連結された第２の白鍵共通支持部８も、図４（ａ）および図４（ｂ）に示すように、白鍵７の配列方向に沿って連続する帯板状に形成され、その前端面（図４（ｂ）では左端面）における中間部に屈曲部９がそれぞれ一体に連結形成され、これにより屈曲部９の上下に突出する状態で位置するように構成されている。
【００１９】
この場合、第２の白鍵共通支持部８における上面の所定箇所、つまり白鍵共通支持部８の長手方向における両側部付近には、図４（ｂ）および図６に示すように、第１の白鍵共通支持部５の第１位置決め部５ａに係合して位置決めされる凹凸形状の第２位置決め部８ａが形成されている。また、この第２の白鍵共通支持部８における下面の所定箇所、つまり第２位置決め部８ａに対応する箇所には、凹凸形状の第３位置決め部８ｂが形成されている。
【００２０】
同様に、黒鍵ユニット３における複数の黒鍵１０は、図５（ａ）および図５（ｂ）に示すように、その各後端部に形成されて黒鍵共通支持部１１に一体に連結された各屈曲部１２を支点として上下方向に回動変位するように構成されている。この場合にも、屈曲部１２は、上下方向に撓み変形する薄肉の平板状に形成され、図５（ｂ）に示すように、黒鍵１０の後端面における下端部に設けられている。
【００２１】
この屈曲部１２が連結された黒鍵共通支持部１１も、図５（ａ）および図５（ｂ）に示すように、黒鍵１０の配列方向に連続する帯板状に形成され、その前端部（図５（ｂ）では左端面）における上面に屈曲部１２がそれぞれ一体に連結形成され、これにより屈曲部１２の下側に位置するように構成されている。
【００２２】
この黒鍵共通支持部１１における上面の所定箇所、つまり白鍵共通支持部８の長手方向における両側部付近には、図２および図５（ｂ）に示すように、第２の白鍵共通支持部８の第３位置決め部８ａに係合して位置決めされる凹凸形状の第４位置決め部１１ａが形成されている。また、この黒鍵共通支持部１１における下面の所定箇所、つまり第４位置決め部１１ａに対応する箇所には、鍵盤シャーシ１３に対して位置決めされる凸形状の第５位置決め部１１ｂが形成されている。
【００２３】
ところで、第１、第２の各白鍵ユニット１、２および黒鍵ユニット３は、図１、図２、および図６に示すように、第１、第２の各白鍵共通支持部５、８および黒鍵共通支持部１１を重ね合わせて、第１の白鍵ユニット１における各白鍵４の間、第２の白鍵ユニット２における各白鍵７の間、および黒鍵ユニット３における各黒鍵１０の間に、相互に各白鍵４、７および各黒鍵１０を配置させて音階順に配列させた状態で、第１、第２の各白鍵共通支持部５、８および黒鍵共通支持部１１が、図１および図７に示すように、複数のねじ部材１４によって締め付けられて鍵盤シャーシ１３上に固定されるように構成されている。
【００２４】
この複数のねじ部材１４は、図１に示すように、第２の白鍵ユニット２における複数の白鍵７に対応する箇所またはその近傍に位置する箇所において、図２および図７に示すように、第１、第２の各白鍵共通支持部５、８および黒鍵共通支持部１１を締め付けて鍵盤シャーシ１３上に固定するように構成されている。
【００２５】
また、第１、第２の各白鍵ユニット１、２における第１、第２の各白鍵共通支持部５、８には、図７に示すように、ねじ部材１４の締め付け力に応じて第１、第２の各白鍵共通支持部５、８の一部を変形させるための変形調整部１５が設けられている。この変形調整部１５は、第１、第２の各白鍵共通支持部５、８が複数のねじ部材１４によって固定される複数箇所に設けられている。
【００２６】
この変形調整部１５は、図７に示すように、第１、第２の各白鍵共通支持部５、８が重なり合って対向する対向面のうち、第１の白鍵共通支持部５の対向面（図７では下面）に設けられた上側傾斜部１６と、第２の白鍵共通支持部８の対向面（図７では上面）に設けられた下側傾斜部１７とを備えている。この場合、第１の白鍵共通支持部５における上側傾斜部１６は、白鍵４の長手方向における前部側（図７では左側）が高く、後部側（図７では右側）が次第に低くなるように、白鍵４の長手方向に沿って傾斜して形成されている。
【００２７】
また、第２の白鍵共通支持部８における下側傾斜部１７は、白鍵７の長手方向における前部側（図７では左側）が高く、後部側（図７では右側）が次第に低くなるように、上側傾斜部１６と平行に、白鍵７の長手方向に沿って傾斜して形成されている。さらに、この変形調整部１５に対応する第１、第２の各白鍵共通支持部５、８および黒鍵共通支持部１１の箇所には、図７に示すように、ねじ部材１４が挿入する取付孔１８が上下に対応して設けられている。
【００２８】
これにより、変形調整部１５は、図１０または図１３に示すように、ねじ部材１４の締め付け力に応じて第１の白鍵共通支持部５における上側傾斜部１６と第２の白鍵共通支持部８における下側傾斜部１７とが、その両者の傾斜面に沿って相対的に滑ることにより、白鍵４、７の前後方向(図７では左右方向)に変位して、第１、第２の各白鍵共通支持部５、８の一部を白鍵４、７の前後方向(図７では左右方向)に変形させ、これにより各白鍵４、７の配列方向における横振れを修正するように構成されている。
【００２９】
次に、このような鍵盤構造を組立てる場合について説明する。
この場合には、まず、黒鍵ユニット３を鍵盤シャーシ１３上に配置する。このときには、黒鍵ユニット３の黒鍵共通支持部１１の下面に設けられた第５位置決め部１１ｂによって鍵盤シャーシ１３上に位置決めする。この状態で、黒鍵ユニット３上に第２の白鍵ユニット２を組み付ける。
【００３０】
このときには、図１に示すように、黒鍵ユニット３における複数の黒鍵１０の各間に、第２の白鍵ユニット２における複数の白鍵７を配置して、図２に示すように、黒鍵ユニット３の黒鍵共通支持部１１上に第２の白鍵ユニット２における第２の白鍵共通支持部８を重ね合わせる。この場合には、黒鍵共通支持部１１の上面に設けられた第４位置決め部１１ａに、第２の白鍵共通支持部８の下面に設けられた第３位置決め部８ｂを係合させて、黒鍵共通支持部１１に対して第２の白鍵共通支持部８を位置決めする。
【００３１】
この後、図１に示すように、黒鍵ユニット３における複数の黒鍵１０の各間、および第２の白鍵ユニット２における複数の白鍵７の各間に、第１の白鍵ユニット１における複数の白鍵４を配置して、図２および図６に示すように、第２の白鍵ユニット２における第２の白鍵共通支持部８上に第１の白鍵ユニット１における第１の白鍵共通支持部５を重ね合わせる。この場合にも、第２の白鍵共通支持部８の上面に設けられた第２位置決め部８ａに、第１の白鍵共通支持部５の下面に設けられた第１位置決め部５ａを係合させて、第２の白鍵共通支持部８に対して第１の白鍵共通支持部５を位置決めする。
【００３２】
これにより、図１および図２に示すように、第１の白鍵共通支持部５、第２の白鍵共通支持部８、および黒鍵共通支持部１１が重ね合わされて、白鍵４、７および黒鍵１０が音階順に配列される。この状態で、図７に示すように、第１の白鍵共通支持部５、第２の白鍵共通支持部８、および黒鍵共通支持部１１を複数のねじ部材１４によって相互に締め付けて鍵盤シャーシ１３上に固定する。このときに、ねじ部材１４の締め付け力を調整することにより、互いに隣接する白鍵４、７の隙間Ｓを修正することができる。
【００３３】
例えば、図８および図９に示すように、第１、第２の各白鍵ユニット１、２の各白鍵４、７のうち、第１の白鍵ユニット１における一部の白鍵４（例えばＦの白鍵）が白鍵４の配列方向の右側に横振れし、これに隣接する第２の白鍵ユニット２における一部の白鍵７（例えばＥの白鍵）との間に広い隙間Ｓ１が生じている場合には、これらの白鍵４、７（例えばＦ、Ｅの各白鍵）に最も近いねじ部材１４の締め付け力を調節する。
【００３４】
すなわち、このねじ部材１４の締め付け力を調整すると、図１０に示すように、その締め付け力に応じて第１の白鍵共通支持部５における上側傾斜部１６と第２の白鍵共通支持部８における下側傾斜部１７とが相対的に滑り、図１１に示すように、第１、第２の各白鍵共通支持部５、８の一部が変形する。
【００３５】
このときには、図１０に示すように、ねじ部材１４の締め付け力によって変形調整部１５が白鍵４（例えばＦの白鍵）の後方（図１０では右側）に向けて変位するので、第１の白鍵共通支持部５の一部が白鍵４（例えばＦの白鍵）の後方（図１１では上側）に向けて変形する。これに伴って一部の白鍵４（例えばＦの白鍵）は、図１１に示すように、その配列方向において左側に横振れするように変位する。
【００３６】
これにより、第１、第２の各白鍵ユニット１、２の各白鍵４、７のうち、第１の白鍵ユニット１における一部の白鍵４（例えばＦの白鍵）が白鍵４の配列方向における右側に横振れしていても、その一部の白鍵４（例えばＦの白鍵）の横振れによる位置ずれが、図１１に示すように、修正される。
【００３７】
このため、図８に示すように、第１の白鍵ユニット１における一部の白鍵４（例えばＦの白鍵）と、これに隣接する第２の白鍵ユニット２における一部の白鍵７（例えばＧの白鍵）との間の隙間Ｓ１が広くても、図１に示すように、他の白鍵４、７間の隙間Ｓと同じ隙間Ｓに修正することができるので、全ての白鍵４、７間の隙間Ｓを均一にすることができる。
【００３８】
また、図１２に示すように、第１、第２の各白鍵ユニット１、２の各白鍵４、７のうち、第２の白鍵ユニット２における一部の白鍵７（例えばＥの白鍵）が白鍵７の配列方向における左側に横振れし、これに隣接する第１の白鍵ユニット１における一部の白鍵４（例えばＦの白鍵）との間に広い隙間Ｓ１が生じている場合には、これらの白鍵４、７（例えばＥ、Ｆの各白鍵）に最も近いねじ部材１４の締め付け力を調節する。
【００３９】
すなわち、このねじ部材１４の締め付け力を調整すると、図１３に示すように、その締め付け力に応じて第１の白鍵共通支持部５における上側傾斜部１６と第２の白鍵共通支持部８における下側傾斜部１７とが相対的に滑り、図１４に示すように、第１、第２の各白鍵共通支持部５、８の一部が変形する。このときには、図１３に示すように、最上部に位置する第１の白鍵共通支持部５が変位しないように冶具１９で押え、この状態でねじ部材１４の締め付ける。
【００４０】
すると、図１３および図１４に示すように、ねじ部材１４の締め付け力によって変形調整部１５が、白鍵７（例えばＥの白鍵）の後方（図１３では右側）に向けて変位するので、第２の白鍵共通支持部８の一部が白鍵７（例えばＥの白鍵）の後方（図１４では上側）に向けて変形する。これに伴って一部の白鍵７（例えばＥの白鍵）は、その配列方向における右側に横振れするように変位する。
【００４１】
これにより、第１、第２の各白鍵ユニット１、２の各白鍵４、７のうち、第２の白鍵ユニット２における一部の白鍵７（例えばＥの白鍵）が白鍵７の配列方向における右側に横振れしていても、この一部の白鍵７（例えばＥの白鍵）の位置ずれが修正される。このため、第２の白鍵ユニット２における一部の白鍵７（例えばＥの白鍵）と、これに隣接する第１の白鍵ユニットにおける一部の白鍵４（例えばＦの白鍵）との間の隙間Ｓ１が広くても、図１に示すように、他の白鍵４、７間の隙間Ｓと同じ隙間Ｓに修正することができるので、全ての白鍵４、７間の隙間Ｓを均一にすることができる。
【００４２】
このように、この鍵盤構造によれば、第１、第２の各白鍵ユニット１、２および黒鍵ユニット３のうち、第１の白鍵ユニット１における複数の白鍵４の各間に、第２の白鍵ユニット２の各白鍵７を配置させて、各白鍵共通支持部５、８を重ねて合わせて相互に固定するときに、その固定力に応じて変形調整部１５が白鍵共通支持部５、８の一部を白鍵４、７の前後方向に確実に変形させることができ、この白鍵共通支持部５、８の変形に伴って白鍵４、７の横振れを修正することができる。このため、互いに隣接する白鍵４、７同士の隙間Ｓを簡単に且つ正確に修正することができるので、多数の白鍵４、７の各隙間Ｓを均一にすることができる。
【００４３】
この場合、第１、第２の各白鍵共通支持部５、８は、互いに重なり合った状態で複数のねじ部材１４によって相互に締め付けられて取り付けられ、複数の変形調整部１５は、複数のねじ部材１４の各締め付け力に応じてそれぞれ第１、第２の各白鍵共通支持部５、８の一部を白鍵４、７の前後方向に変形させるので、ねじ部材１４の締め付け力を調整することにより、互いに隣接する白鍵４、７の隙間Ｓを簡単に且つ正確に修正することができる。
【００４４】
すなわち、変形調整部１５は、第１、第２の各白鍵共通支持部５、８が重なり合って対面する対向面のうち、第１の白鍵共通支持部５の対向面である下面に白鍵４、７の長手方向に沿って傾斜して設けられた上側傾斜部１６と、第２の白鍵共通支持部８の対向面である上面に白鍵４、７の長手方向に沿って傾斜して設けられた下側傾斜部１７とを備えているので、ねじ部材１４の締め付け力に応じて上側傾斜部１６と下側傾斜部１７とを、その両者の傾斜面に沿って相対的に滑らせることができる。
【００４５】
このため、ねじ部材１４の締め付け力に応じて変形調整部１５を変位させて、第１、第２の各白鍵共通支持部５、８の一部を白鍵４、７の前後方向に確実に変形させることができ、これに伴って各白鍵４、７の配列方向における横振れを修正することができる。これにより、互いに隣接する白鍵４、７同士の隙間Ｓを簡単に且つ正確に修正することができるので、多数の白鍵４、７の各隙間Ｓを均一にすることができる。
【００４６】
(実施形態２)
次に、図１５〜図２０を参照して、この発明を適用した鍵盤構造の実施形態２について説明する。なお、図１〜図１４に示された実施形態１と同一部分には同一符号を付して説明する。
この鍵盤構造は、図１６に示すように、第１の白鍵共通支持部５に変形調整部２０を設けた構成であり、これ以外は実施形態１とほぼ同じ構成になっている。
【００４７】
この変形調整部２０は、図１６に示すように、第１、第２の各白鍵共通支持部５、８が重なり合って対向する対向面のうち、上側に位置する第１の白鍵共通支持部５の対向面（図１６では下面）に設けられた傾斜部であり、第１の白鍵共通支持部５が複数のねじ部材１４によって固定される複数箇所に対応して設けられている。
【００４８】
この場合、変形調整部２０は、図１６に示すように、白鍵４の長手方向に対して直交する方向、つまり第１の白鍵共通支持部５の長手方向において一方側(図１６では左側)が高く、他方側（図１６では右側）が次第に低くなるように、第１の白鍵共通支持部５の長手方向に沿って傾斜する傾斜部に形成されている。この変形調整部２０に対応する第１、第２の各白鍵共通支持部５、８および黒鍵共通支持部１１の複数箇所にも、ねじ部材１４が挿入する取付孔１８が上下に対応して設けられている。
【００４９】
これにより、変形調整部２０は、図１６および図１９に示すように、第１、第２の各白鍵共通支持部５、８がねじ部材１４によって締め付けられると、ねじ部材１４の締め付け力に応じて第１の白鍵共通支持部５における変形調整部２０が押し下げられるように変形し、その傾斜状態が変化することにより、第１の白鍵共通支持部５の一部を変形させて、白鍵７を捻じる方向に変位させるように構成されている。
【００５０】
例えば、図１７および図１８に示すように、第１の鍵ユニット１における複数の白鍵４のうち、一部の白鍵４（例えばＦの白鍵）が白鍵４の配列方向において右回り（時計回り）に捻じれ、これに隣接する第２の白鍵ユニット２における一部の白鍵７（例えばＥの白鍵）との間に広い隙間Ｓ１が生じている場合には、これらの白鍵４、７（例えばＦ、Ｅの各白鍵）に最も近いねじ部材１４の締め付け力を調節する。
【００５１】
すなわち、このねじ部材１４の締め付け力を調整すると、図１９に示すように、その締め付け力に応じて第１の白鍵共通支持部５における変形調整部２０である傾斜部が押し下げられるように変形し、その傾斜状態が変化することにより、第１の白鍵共通支持部５の一部を変形させ、これに伴って一部の白鍵４（例えばＦの白鍵）が、図２０に示すように、左回り（反時計回り）に捻じれる。
【００５２】
これにより、第１の白鍵ユニット１における複数の白鍵４のうち、図１８に示すように、一部の白鍵４（例えばＦの白鍵）が右回り（時計回り）に捻じれていても、この捻じれた一部の白鍵４（例えばＦの白鍵）が、図２０に示すように、左回り（反時計回り）に捻じれて修正される。
【００５３】
このため、図１７に示すように、第１の白鍵ユニット１における一部の白鍵４（例えばＦの白鍵）と、これに隣接する第２の白鍵ユニット２における一部の白鍵７（例えばＥの白鍵）との間の隙間Ｓ１が広くても、図１５に示すように、他の白鍵４、７間の隙間Ｓと同じ隙間Ｓに修正することができるので、全ての白鍵４、７間の隙間Ｓを均一にすることができる。
【００５４】
このような鍵盤構造においても、実施形態１と同様、第１、第２の各白鍵ユニット１、２および黒鍵ユニット３のうち、第１の白鍵ユニット１における複数の白鍵４の各間に、第２の白鍵ユニット２の各白鍵７を配置させて、各白鍵共通支持部５、８を重ねて合わせて相互に固定するときに、その固定力に応じて変形調整部２０が押し下げられるように変形し、第１の白鍵共通支持部５の一部を確実に変形させることができ、これに伴って白鍵４を捻じる方向に変位させることができる。このため、互いに隣接する白鍵４、７同士の隙間Ｓを簡単に且つ正確に修正することができるので、多数の白鍵４、７の各隙間Ｓを均一にすることができる。
【００５５】
この場合、第１、第２の各白鍵共通支持部５、８は、互いに重なり合った状態で複数のねじ部材１４によって相互に締め付けられて取り付けられ、複数の変形調整部２０は、複数のねじ部材１４の各締め付け力に応じてそれぞれ押し下げられるように変形して、第１の白鍵共通支持部５の一部を確実に変形させるので、ねじ部材１４の締め付け力を調整することにより、互いに隣接する白鍵４、７の隙間Ｓを簡単に且つ正確に修正することができる。
【００５６】
すなわち、この変形調整部２０は、第１、第２の各白鍵共通支持部５、８が重なり合って対面する対向面のうち、第１の白鍵共通支持部５の対向面である下面に、白鍵４の長手方向に対して直交する方向、つまり第１の白鍵共通支持部５の長手方向に沿って傾斜して設けられた傾斜部であるから、ねじ部材１４の締め付け力に応じて押し下げられるように変形し、第１の白鍵共通支持部５の一部を確実に変形させることができる。このため、白鍵４を捻じるように変位させることができるので、互いに隣接する白鍵４、７同士の隙間Ｓを簡単に且つ正確に修正することができ、これにより多数の白鍵４、７の各隙間Ｓを均一にすることができる。
【００５７】
(実施形態３)
次に、図２１〜図２６を参照して、この発明を適用した鍵盤構造の実施形態３について説明する。この場合にも、図１〜図１４に示された実施形態１と同一部分に同一符号を付して説明する。
この鍵盤構造は、図２１および図２２に示すように、第１の白鍵共通支持部５の上に第２の白鍵共通
支持部８を重ね合わせて配置し、この第２の白鍵共通支持部８に変形調整部２５を設けた構成であり、これ以外は実施形態１とほぼ同じ構成になっている。
【００５８】
この変形調整部２５は、図２２に示すように、第１、第２の各白鍵共通支持部５、８が重なり合って対向する対向面のうち、上部側に位置する第２の白鍵共通支持部８の対向面（図２２では下面）に設けられた傾斜部であり、第２の白鍵共通支持部８が複数のねじ部材１４によって固定される複数箇所に対応して設けられている。
【００５９】
この場合、変形調整部２５は、図２２に示すように、白鍵７の長手方向に対して直交する方向、つまり第２の白鍵共通支持部８の長手方向において一方側(図２２では左側)が高く、他方側（図２２では右側）が次第に低くなるように、第２の白鍵共通支持部８の長手方向に沿って傾斜する傾斜部に形成されている。この変形調整部２５に対応する第１、第２の各白鍵共通支持部５、８および黒鍵共通支持部１１の複数箇所にも、ねじ部材１４が挿入する取付孔１８が上下に対応して設けられている。
【００６０】
これにより、変形調整部２５は、図２２および図２５に示すように、第１、第２の各白鍵共通支持部５、８がねじ部材１４によって締め付けられると、ねじ部材１４の締め付け力に応じて第２の白鍵共通支持部８における変形調整部２５が押し下げられるように変形し、その傾斜状態が変化することにより、第２の白鍵共通支持部８の一部を変形させて、白鍵７を捻じる方向に変位させるように構成されている。
【００６１】
例えば、図２３および図２４に示すように、第２の鍵ユニット２における複数の白鍵７のうち、一部の白鍵７（例えばＥの白鍵）が白鍵７の配列方向において左回り（反時計回り）に捻じれ、これに隣接する第１の白鍵ユニット１における一部の白鍵４（例えばＦの白鍵）との間に広い隙間Ｓ１が生じている場合には、これらの白鍵４、７（例えばＦ、Ｅの各白鍵）に最も近いねじ部材１４の締め付け力を調節する。
【００６２】
すなわち、このねじ部材１４の締め付け力を調整すると、図２５に示すように、その締め付け力に応じて第２の白鍵共通支持部８における変形調整部２５である傾斜部が押し下げられるように変形し、その傾斜状態が変化することにより、第２の白鍵共通支持部８の一部を確実に変形させ、これに伴って一部の白鍵７（例えばＥの白鍵）が、図２６に示すように、右回り（時計回り）に捻じれる。
【００６３】
これにより、第２の白鍵ユニット２における複数の白鍵７のうち、一部の白鍵７（例えばＥの白鍵）が左回り（反時計回り）に捻じれていても、この捻じれた一部の白鍵７（例えばＥの白鍵）が、図２６に示すように、右回り（反時計回り）に捻じれて修正される。このため、図２３に示すように、第２の白鍵ユニット２における一部の白鍵７（例えばＥの白鍵）と、これに隣接する第１の白鍵ユニット１における一部の白鍵４（例えばＦの白鍵）との間の隙間Ｓ１が広くても、図２１に示すように、他の白鍵４、７間の隙間Ｓと同じ隙間Ｓに修正することができるので、全ての白鍵４、７間の隙間Ｓを均一にすることができる。
【００６４】
このような鍵盤構造においても、実施形態１と同様、第１、第２の各白鍵ユニット１、２および黒鍵ユニット３のうち、第１の白鍵ユニット１における複数の白鍵４の各間に、第２の白鍵ユニット２の各白鍵７を配置させて、各白鍵共通支持部５、８を重ねて合わせて相互に固定するときに、その固定力に応じて変形調整部２５が押し下げられるように変形して、第２の白鍵共通支持部８の一部を確実に変形させることができ、これに伴って白鍵７を捻じる方向に変位させることができる。このため、互いに隣接する白鍵４、７同士の隙間Ｓを簡単に且つ正確に修正することができるので、多数の白鍵４、７の各隙間Ｓを均一にすることができる。
【００６５】
この場合、第１、第２の各白鍵共通支持部５、８は、互いに重なり合った状態で複数のねじ部材１４によって相互に締め付けられて取り付けられ、複数の変形調整部２５は、複数のねじ部材１４の各締め付け力に応じてそれぞれ押し下げられるように変形して、第２の白鍵共通支持部８の一部を確実に変形させるので、ねじ部材１４の締め付け力を調整することにより、互いに隣接する白鍵４、７の隙間Ｓを簡単に且つ正確に修正することができる。
【００６６】
すなわち、変形調整部２５は、第１、第２の各白鍵共通支持部５、８が重なり合って対面する対向面のうち、最上部に位置する第２の白鍵共通支持部８の対向面である下面に、白鍵７の長手方向に対して直交する方向、つまり第２の白鍵共通支持部８の長手方向に沿って傾斜して設けられた傾斜部であるから、ねじ部材１４の締め付け力に応じて押し下げられるように変形して、第２の白鍵共通支持部８の一部を確実に変形させることができる。このため、白鍵７を捻じるように変位させることができるので、互いに隣接する白鍵４、７同士の隙間Ｓを簡単に且つ正確に修正することができ、これにより多数の白鍵４、７の各隙間Ｓを均一にすることができる。
【００６７】
なお、前記実施形態２、３では、第１、第２の各白鍵共通支持部５、８のいずれか一方のみに変形調整部２０、２５を設けた場合について述べたが、これに限らず、第１、第２の各白鍵共通支持部５、８の両方に変形調整部２０、２５をそれぞれ設けた構成でも良い。このように構成すれば、１本のねじ部材１４の締め付け力に応じて第１、第２の各白鍵共通支持部５、８の両方を同時に変形させて、白鍵４、７の隙間を修正することができる。
【００６８】
また、前記実施形態１〜３では、変形調整部１５、２０、２５を第１、第２の各白鍵共通支持部５、８が複数のねじ部材１４によって固定される複数箇所に設けた場合について述べたが、これに限らず、変形調整部は、複数のねじ部材１４によって固定される複数箇所の近傍に設けられた構成であっても良い。このように構成しても、実施形態１〜３と同様の作用効果がある。
【図面の簡単な説明】
【００６９】
【図１】この発明を適用した鍵盤構造の実施形態１における要部を示した正面図である。
【図２】図１のＡ−Ａ矢視における一部破断した側面図である。
【図３】図１における第１の白鍵ユニットを示し、（ａ）はその正面図、（ｂ）はそのＢ−Ｂ矢視における一部破断した側面図である。
【図４】図１における第２の白鍵ユニットを示し、（ａ）はその正面図、（ｂ）はそのＣ−Ｃ矢視における一部破断した側面図である。
【図５】図１における黒鍵ユニットを示し、（ａ）はその正面図、（ｂ）はそのＤ−Ｄ矢視における一部破断した側面図である。
【図６】図３および図４の第１、第２の各白鍵共通支持部を重ね合わせた際における位置決め状態を示した要部の拡大断面図である。
【図７】図３および図４の第１、第２の各白鍵共通支持部を重ね合わせてねじ部材で取り付ける状態における変形調整部を示した要部の拡大断面図である。
【図８】図１の鍵盤構造において第１の白鍵ユニットにおける一部の白鍵が横振れして、これに隣接する白鍵との間に広い隙間が生じた状態を示した正面図である。
【図９】図８の第１の白鍵ユニットにおいて一部の白鍵が横振れしている状態を示した正面図である。
【図１０】図７において変形調整部を変位させた状態を示した要部の拡大断面図である。
【図１１】図９において第１の白鍵ユニットにおける一部の白鍵の横振れが修正された状態を示した正面図である。
【図１２】図８の第２の白鍵ユニットにおいて一部の白鍵が横振れしている状態を示した正面図である。
【図１３】図７において変形調整部を変位させた状態を示した要部の拡大断面図である。
【図１４】図１２において第２の白鍵ユニットにおける一部の白鍵の横振れが修正された状態を示した正面図である。
【図１５】この発明を適用した鍵盤構造の実施形態２における要部を示した正面図である。
【図１６】図１５のＥ−Ｅ矢視における拡大断面図である。
【図１７】図１５の鍵盤構造において第１の白鍵ユニットにおける一部の白鍵が捻じれて、これに隣接する白鍵との間に広い隙間が生じた状態を示した正面図である。
【図１８】図１７の第１の白鍵ユニットにおいて一部の白鍵が捻じれている状態を示した正面図である。
【図１９】図１６において第１の白鍵共通支持部に設けられた変形調整部を変形させた状態を示した要部の拡大断面図である。
【図２０】図１８において第１の白鍵ユニットにおける一部の白鍵の捻じれが修正された状態を示した正面図である。
【図２１】この発明を適用した鍵盤構造の実施形態３における要部を示した正面図である。
【図２２】図２１のＦ−Ｆ矢視における断面図である。
【図２３】図２１の鍵盤構造において第２の白鍵ユニットにおける一部の白鍵が捻じれて、これに隣接する白鍵との間に広い隙間が生じた状態を示した正面図である。
【図２４】図２３の第２の白鍵ユニットにおいて一部の白鍵が捻じれている状態を示した正面図である。
【図２５】図２２において第２の白鍵共通支持部に設けられた変形調整部を変形させた状態を示した要部の拡大断面図である。
【図２６】図２４において第２の白鍵ユニットにおける一部の白鍵の捻じれが修正された状態を示した正面図である。
【符号の説明】
【００７０】
１  第１の白鍵ユニット
２  第２の白鍵ユニット
３  黒鍵ユニット
４、７  白鍵
５  第１の白鍵共通支持部
６、９、１２  屈曲部
８  第２の白鍵共通支持部
１０  黒鍵
１１  黒鍵共通支持部
１３  鍵盤シャーシ
１４  ねじ部材
１５、２０、２５  変形調整部
１６  上側傾斜部
１７  下側傾斜部
【図１】
2010152092.tif 000003
【図２】
2010152092.tif 000004
【図３】
2010152092.tif 000005
【図４】
2010152092.tif 000006
【図５】
2010152092.tif 000007
【図６】
2010152092.tif 000008
【図７】
2010152092.tif 000009
【図８】
2010152092.tif 000010
【図９】
2010152092.tif 000011
【図１０】
2010152092.tif 000012
【図１１】
2010152092.tif 000013
【図１２】
2010152092.tif 000014
【図１３】
2010152092.tif 000015
【図１４】
2010152092.tif 000016
【図１５】
2010152092.tif 000017
【図１６】
2010152092.tif 000018
【図１７】
2010152092.tif 000019
【図１８】
2010152092.tif 000020
【図１９】
2010152092.tif 000021
【図２０】
2010152092.tif 000022
【図２１】
2010152092.tif 000023
【図２２】
2010152092.tif 000024
【図２３】
2010152092.tif 000025
【図２４】
2010152092.tif 000026
【図２５】
2010152092.tif 000027
【図２６】
2010152092.tif 000028